(57)【要約】【課題】林道の高標高側でかつ谷側の部分の土砂が山水や雨水等によって洗掘されるのを防止して、山水や雨水等の排水機能が良好に確保される林道横断水路溝構造を提供すること。【解決手段】一側縁部が山側の斜面に続くとともに、他側縁部が谷側の斜面へ続く林道に、水路溝形成ブロックを横断状に配設して、水路溝形成ブロックを介して山側から谷側に山水や雨水等を排水するようにした林道横断水路溝構造であって、水路溝形成ブロックの谷側に位置する端部に張り出し体を少なくとも林道の標高の高い側である高標高側に張り出し状に配設した。【選択図】図１
2014005658.tif 000002
【特許請求の範囲】
【請求項１】
一側縁部が山側の斜面に続くとともに、他側縁部が谷側の斜面へ続く林道に、水路溝形成ブロックを横断状に配設して、水路溝形成ブロックを介して山側から谷側に山水や雨水等を排水するようにした林道横断水路溝構造であって、
水路溝形成ブロックの谷側に位置する端部に張り出し体を少なくとも林道の標高の高い側である高標高側に張り出し状に配設したことを特徴とする林道横断水路溝構造。
【請求項２】
水路溝形成ブロックの谷側に位置する端部の下面を支持する支持体に、張り出し体を少なくとも林道の高標高側に張り出し状に連設したことを特徴とする請求項１記載の林道横断水路溝構造。
【請求項３】
張り出し体は、支持体の両端に連設して林道の高標高側と低標高側の両側に張り出し状となし、両張り出し体の内側端面同士の間隔は水路溝形成ブロックの外側端幅よりも幅広に形成したことを特徴とする請求項２記載の林道横断水路溝構造。
【請求項４】
張り出し体の片面は谷側の傾斜面と略面一の傾斜面となしたことを特徴とする請求項３記載の林道横断水路溝構造。
【請求項５】
張り出し体は、水路溝形成ブロックの谷側に位置する端部に少なくとも林道の高標高側に張り出し状に一体成形したことを特徴とする請求項４記載の林道横断水路溝構造。
【請求項６】
張り出し体は、水路溝形成ブロックの側壁にその伸延方向に幅広状に一体成形した基端部から少なくとも林道の高標高側に漸次先細り状に延設して形成したことを特徴とする請求項５記載の林道横断水路溝構造。
【発明の詳細な説明】
【技術分野】
【０００１】
本発明は、林道を横断する状態に配設して、山側から谷側に山水や雨水等を排水するための林道横断水路溝の構造に関する。
【背景技術】
【０００２】
従来、林道横断水路溝構造の一形態として、特許文献１に開示されたものがある。すなわち、特許文献１には、一側縁部が山側の斜面に続くとともに、他側縁部が谷側の斜面へ続く林道（山間の道路）に、水路溝形成ブロックを横断状に配設して、水路溝形成ブロックを介して山側から谷側に山水や雨水等を排水するようにした林道横断水路溝構造が開示されている。
【先行技術文献】
【特許文献】
【０００３】
【特許文献１】実開平６−１２５２２
【発明の概要】
【発明が解決しようとする課題】
【０００４】
しかしながら、かかる林道横断水路溝構造では、林道が道筋に沿って傾斜しているため、図１３に示すように、林道１００に横断状に配設されている水路溝形成ブロック１１０を中心に（境に）林道１００の標高の高い側である高標高側部１２０でかつ谷側の部分１３０の土砂が山水や雨水１４０等によって洗掘されて谷側に流出され、最終的には水路溝形成ブロック１１０の支持構造が崩壊されて山水や雨水等の排水機能が損なわれるという不具合がある。
【０００５】
そこで、本発明は、林道の高標高側でかつ谷側の部分の土砂が山水や雨水等によって洗掘されるのを防止して、山水や雨水等の排水機能が良好に確保される林道横断水路溝構造を提供することを目的とする。
【課題を解決するための手段】
【０００６】
請求項１記載の発明に係る林道横断水路溝構造は、一側縁部が山側の斜面に続くとともに、他側縁部が谷側の斜面へ続く林道に、水路溝形成ブロックを横断状に配設して、水路溝形成ブロックを介して山側から谷側に山水や雨水等を排水するようにした林道横断水路溝構造であって、水路溝形成ブロックの谷側に位置する端部に張り出し体を少なくとも林道の標高の高い側である高標高側に張り出し状に配設したことを特徴とする。
【０００７】
かかる林道横断水路溝構造では、水路溝形成ブロックの谷側に位置する端部に張り出し体を少なくとも林道の高標高側に張り出し状に配設しているため、林道に横断状に配設されている水路溝形成ブロックを中心に林道の高標高側でかつ谷側の部分の土砂が山水や雨水等によって洗掘されて谷側に流出されるのを防止することができる。その結果、水路溝形成ブロックの支持構造が崩壊されて山水や雨水等の排水機能が損なわれるという不具合を回避することができる。
【０００８】
請求項２記載の発明に係る林道横断水路溝構造は、請求項１記載の発明に係る林道横断水路溝構造であって、水路溝形成ブロックの谷側に位置する端部の下面を支持する支持体に、張り出し体を少なくとも林道の高標高側に張り出し状に連設したことを特徴とする。
【０００９】
かかる林道横断水路溝構造では、水路溝形成ブロックの谷側に位置する端部の下面を支持する支持体に、張り出し体を少なくとも林道の高標高側に張り出し状に連設しているため、支持体を介して張り出し体の配設位置を適宜任意に設定することができる。そして、交差状に配設される張り出し体と水路溝形成ブロックとの配設角度を適宜任意に設定することができる。したがって、林道の高標高側でかつ谷側の部分の土砂が山水や雨水等によって洗掘されるのを防止して、山水や雨水等の排水機能を良好に確保することができる。
【００１０】
請求項３記載の発明に係る林道横断水路溝構造は、請求項２記載の発明に係る林道横断水路溝構造であって、張り出し体は、支持体の両端に連設して林道の高標高側と低標高側の両側に張り出し状となし、両張り出し体の内側端面同士の間隔は水路溝形成ブロックの外側端幅よりも幅広に形成したことを特徴とする。
【００１１】
かかる林道横断水路溝構造では、両張り出し体の内側端面同士の間隔を水路溝形成ブロックの外側端幅よりも幅広に形成しているため、支持体を介して張り出し体の配設位置を適宜任意に設定することができるとともに、交差状に配設される張り出し体と水路溝形成ブロックとの配設角度を適宜任意に設定することができる。したがって、林道の高標高側でかつ谷側の部分の土砂が山水や雨水等によって洗掘されるのを防止して、山水や雨水等の排水機能を良好に確保することができる。
【００１２】
請求項４記載の発明に係る林道横断水路溝構造は、請求項３記載の発明に係る林道横断水路溝構造であって、張り出し体の片面は谷側の傾斜面と略面一の傾斜面となしたことを特徴とする。
【００１３】
かかる林道横断水路溝構造では、張り出し体の片面を谷側の傾斜面と略面一の傾斜面となしているため、張り出し体の美的外観を向上させることができる。
【００１４】
請求項５記載の発明に係る林道横断水路溝構造は、請求項４記載の発明に係る林道横断水路溝構造であって、張り出し体は、水路溝形成ブロックの谷側に位置する端部に少なくとも林道の高標高側に張り出し状に一体成形したことを特徴とする。
【００１５】
かかる林道横断水路溝構造では、張り出し体を水路溝形成ブロックの谷側に位置する端部に少なくとも林道の高標高側に張り出し状に一体成形しているため、水路溝形成ブロックを配設することで張り出し体も同時に配設することができる。そのため施工作業能率を向上させることができる。
【００１６】
請求項６記載の発明に係る林道横断水路溝構造は、請求項５記載の発明に係る林道横断水路溝構造であって、張り出し体は、水路溝形成ブロックの側壁にその伸延方向に幅広状に一体成形した基端部から少なくとも林道の高標高側に漸次先細り状に延設して形成したことを特徴とする。
【００１７】
かかる林道横断水路溝構造では、張り出し体を水路溝形成ブロックの側壁にその伸延方向に幅広状に一体成形した基端部から少なくとも林道の高標高側に漸次先細り状に延設して形成しているため、張り出し体の強度を確保することができる。その結果、林道の高標高側でかつ谷側の部分の土砂が山水や雨水等によって洗掘されるのを堅実に防止して、山水や雨水等の排水機能を良好に確保することができる。
【発明の効果】
【００１８】
本発明によれば、水路溝形成ブロックの下流側部に支持ブロックを少なくとも高標高側に張り出させて配設しているため、林道の高標高側でかつ谷側の部分の土砂が山水や雨水等によって洗掘されるのを防止することができる。その結果、本発明では、水路溝形成ブロックの支持構造が良好に保持されて、山水や雨水等の排水機能が良好に確保される。
【図面の簡単な説明】
【００１９】
【図１】本発明に係る林道横断水路溝構造の平面説明図。
【図２】図１のI-I線断面説明図。
【図３】第１実施形態の林道横断水路溝構造の平面説明図。
【図４】第１実施形態の林道横断水路溝構造の側面説明図。
【図５】洗掘防止体の正面図（ａ）と背面図（ｂ）と平面図（ｃ）と底面図（ｄ）と左側面図（ｅ）と中央縦断面図（ｆ）。
【図６】規制体を取り付けた第１実施形態の林道横断水路溝構造の側面説明図。
【図７】規制体を取り付けた第１実施形態の林道横断水路溝構造の平面説明図。
【図８】本発明に係る林道横断水路溝構造の断面側面説明図。
【図９】規制体を取り付けた第１実施形態の林道横断水路溝構造の側面説明図。
【図１０】規制体を取り付けた第１実施形態の林道横断水路溝構造の平面説明図。
【図１１】第２実施形態の林道横断水路溝構造の平面説明図（ａ）と側面説明図（ｂ）。
【図１２】第２実施形態の変形例としての林道横断水路溝構造の平面説明図（ａ）と側面説明図（ｂ）。
【図１３】従来の林道横断水路溝構造の平面説明図。
【発明を実施するための形態】
【００２０】
以下に、本発明に係る実施形態について図面を参照しながら説明する。
【００２１】
図１及び図２は本発明に係る林道横断水路溝構造１を示している。すなわち、林道横断水路溝構造１は水路溝形成ブロック１０と張り出し体２０とを具備している。水路溝形成ブロック１０は林道Ｒの幅方向に伸延させて、林道Ｒに横断状に配設している。林道Ｒは一側縁部（本実施形態では右側縁部）が山Ｙ側の斜面に接続され、かつ、他側縁部（本実施形態では左側縁部）が谷Ｔ側の斜面に接続されている。そして、水路溝形成ブロック１０は山Ｙ側から谷Ｔ側に山水や雨水等を排水するようにしている。林道Ｒは道筋に沿って傾斜しており、林道Ｒに横断状に配設されている水路溝形成ブロック１０を中心に（境に）林道Ｒの標高の高い側である高標高側Ｒｈと標高の低い側である低標高側Ｒｌが形成されている。つまり、高標高側Ｒｈが林道Ｒの傾斜面に沿って流下する山水や雨水等の上流側となり、低標高側Ｒｌが山水や雨水等の下流側となる。張り出し体２０は水路溝形成ブロック１０の谷Ｔ側に位置する端部に少なくとも林道Ｒの高標高側Ｒｈに張り出し状に配設している。
【００２２】
このように構成して、水路溝形成ブロック１０の谷Ｔ側に位置する端部に張り出し体２０を少なくとも林道Ｒの高標高側Ｒｈに張り出し状に配設しているため、林道Ｒに横断状に配設されている水路溝形成ブロック１０を中心に（境に）林道Ｒの高標高側Ｒｈでかつ谷Ｔ側の部分の土砂が山水や雨水等によって洗掘されて谷側に流出されるのを防止することができる。その結果、水路溝形成ブロック１０の支持構造が崩壊されて山水や雨水等の排水機能が損なわれるという不具合を回避することができる。
【００２３】
次に、本発明に係る林道横断水路溝構造１の第１実施形態と第２実施形態について、具体的に説明する。
【００２４】
［第１実施形態の説明］
第１実施形態としての林道横断水路溝構造１は、図１〜図４に示すように、水路溝形成ブロック１０と張り出し体２０とを別体に構成している。すなわち、第１実施形態の林道横断水路溝構造１は、水路溝形成ブロック１０と、張り出し体２０を具備する洗掘防止体４０とを別体に構成している。水路溝形成ブロック１０は、前後方向（林道Ｒの幅方向）に伸延する帯状の底部１１と、底部１１の左右側縁部から立ち上げて一体成形した側壁部１２,１２とから正面視Ｕ字状に形成している。洗掘防止体４０は、左右方向に伸延して前後幅を薄肉板状となした支持体３０と、その左右側端部に下端部を連設した左右一対の張り出し体２０,２０とを、正面視でＵ字状に一体成形している。張り出し体２０は正面視で逆台形状に形成している。張り出し体２０の内側端縁部２１は支持体３０の上端縁部と略直交する垂直縁部となす一方、張り出し体２０の外側端縁部２２は支持体３０の外端縁部と面一の傾斜縁部となしている。支持体３０よりも上方に位置する両張り出し体２０,２０の部分の片面（正面側面）は漸次上端側に先細り状のテーパー面２３,２３に形成している。左右一対の張り出し体２０,２０の内側端縁部の間隔Ｗ１は、水路溝形成ブロック１０の外側左右幅Ｗ２よりもやや幅広に形成している。
【００２５】
このように、左右一対の張り出し体２０,２０の内側端縁部の間隔Ｗ１を水路溝形成ブロック１０の外側左右幅Ｗ２よりもやや幅広に形成することで、洗掘防止体４０さらには張り出し体２０と水路溝形成ブロック１０との配設角度θを任意に設定することができるようにしている。つまり、地形に応じて洗掘防止体４０と水路溝形成ブロック１０との配設角度θを適宜設定することができるようにしている。。
【００２６】
そして、洗掘防止体４０は、水路溝形成ブロック１０の谷Ｔ側に位置する端部に嵌合状態に配置するようにしている。すなわち、林道横断水路溝構造１を施工する林道Ｒの部分に横断状の配設溝（図示せず）を掘削して形成し、配設溝の谷Ｔ側に洗掘防止体４０を起立状に配置している。洗掘防止体４０の支持体３０上には水路溝形成ブロック１０の端部を載置して、水路溝形成ブロック１０の端部の下面を支持体３０により支持している。配設溝と水路溝形成ブロック１０の外側方との間隙はぐり石や掘削土を埋め戻している。かかる状態において、張り出し体２０,２０が林道Ｒの谷Ｔ側に沿って、林道Ｒの高標高側Ｒｈと低標高側Ｒｌにそれぞれ張り出し状に配置されるようにしている。
【００２７】
かかる林道横断水路溝構造１では、水路溝形成ブロック１０の谷Ｔ側に位置する端部の下面を支持する支持体３０に、張り出し体２０を少なくとも林道Ｒの高標高側Ｒｈに張り出し状に連設しているため、支持体３０を介して張り出し体２０の配設位置を適宜任意に設定することができる。そして、交差状に配設される張り出し体２０と水路溝形成ブロック１０との配設角度θを適宜任意に設定することができる。したがって、林道Ｒの高標高側Ｒｈでかつ谷側の部分の土砂が山水や雨水等によって洗掘されるのを防止して、山水や雨水等の排水機能を良好に確保することができる。
【００２８】
また、両張り出し体２０,２０の内側端面同士の間隔Ｗ１は水路溝形成ブロックの外側左右幅Ｗ２よりも幅広に形成しているため、支持体３０を介して張り出し体２０,２０の配設位置を適宜任意に設定することができるとともに、交差状に配設される張り出し体２０,２０と水路溝形成ブロック１０との配設角度θを適宜任意に設定することができる。したがって、この点からも林道Ｒの高標高側でかつ谷側の部分の土砂が山水や雨水等によって洗掘されるのを防止して、山水や雨水等の排水機能を良好に確保することができる。
【００２９】
水路溝形成ブロック１０の側壁部１２,１２には、図６及び図７に示すように、外側面の前部と後部にそれぞれ連結用インサート１３を外側端面のみ露出させて埋設している。そして、連結用インサート１３には左右方向（水路溝形成ブロック１０の幅方向）に軸線を向けた連結ボルト１４を螺着可能としている。本実施形態では連結用インサート１３に連結ボルト１４により規制体５０を着脱自在に取り付け可能としている。規制体５０は板状の連結片５１と、連結片５１に直交状態に連設して張り出し体２０の外側面に当接する当接片５２とを具備している。連結片５１には連結用インサート１３と符合するボルト孔５３を形成している。規制体５０の連結片５１の伸延長さは配設角度θに適応させて設定することができる。
【００３０】
このように構成して、張り出し体２０の外側面に規制体５０の当接片５２を当接（面接触）させることにより、林道Ｒの土圧を受ける洗掘防止体４０が外側方へ滑動されるのを、規制体５０を介して水路溝形成ブロック１０により規制して、洗掘防止体４０が谷Ｔ側に落下されるのを防止することができる。
【００３１】
図８は洗掘防止体４０の配設向きを反転させた場合を示している。すなわち、張り出し体２０,２０の片面にはテーパー面２３,２３を形成している。そして、テーパー面２３,２３側を外側面となすように洗掘防止体４０を配置するとともに、テーパー面２３,２３が谷Ｔ側の傾斜面と略面一の仮想傾斜面Ｋとなるように洗掘防止体４０の起立姿勢を変更することができるようにしている。
【００３２】
このように構成して、張り出し体２０,２０を具備する洗掘防止体４０さらには林道横断水路溝構造１の美的外観を向上させることができる。
【００３３】
また、図９及び図１０に示すように、張り出し体２０のテーパー面２３,２３に規制体５０の当接片５２を当接（面接触）させることができるようにしている。
【００３４】
このように構成して、張り出し体２０のテーパー面２３,２３に規制体５０の当接片５２を当接（面接触）させることにより、林道Ｒの土圧を受ける洗掘防止体４０が外側方へ滑動されるのを、規制体５０を介して水路溝形成ブロック１０により規制して、洗掘防止体４０が谷Ｔ側に落下されるのを防止することができる。
【００３５】
［第２実施形態の説明］
第２実施形態としての林道横断水路溝構造１は、図１１（ａ）（ｂ）に示すように、基本的構造を第１実施形態としての林道横断水路溝構造１と同様に構成した水路溝形成ブロック１０と張り出し体２０とを鉄筋コンクリート等により一体成形している。そして、水路溝形成ブロック１０の谷Ｔ側に位置する端部には、左右一対の張り出し体２０,２０を林道Ｒの高標高側Ｒｈと低標高側Ｒｌにそれぞれ張り出し状に一体成形している。そして、左右一対の張り出し体２０,２０は均平板状に形成している。
【００３６】
このように構成して、均平板状に形成した張り出し体２０,２０を水路溝形成ブロック１０の谷Ｔ側に位置する端部に林道Ｒの高標高側Ｒｈと低標高側Ｒｌにそれぞれ張り出し状に一体成形しているため、水路溝形成ブロック１０を配設することで張り出し体２０,２０も同時に配設することができる。そのため施工作業能率を向上させることができる。
【００３７】
［第２実施形態の変形例の説明］
第２実施形態の変形例としての林道横断水路溝構造１は、図１２（ａ）（ｂ）に示すように、張り出し体２０,２０の形状に変化をもたせている。すなわち、張り出し体２０,２０は、水路溝形成ブロック１０の側壁１２にその伸延方向に幅広状に一体成形した基端部から林道の高標高側Ｒｈと低標高側Ｒｌにそれぞれ漸次先細り状に延設して形成している。
【００３８】
このように構成して、張り出し体２０,２０を水路溝形成ブロック１０の側壁１２にその伸延方向に幅広状に一体成形した基端部から林道Ｒの高標高側Ｒｈと低標高側Ｒｌにそれぞれに漸次先細り状に延設して形成しているため、張り出し体２０,２０の強度を確保することができる。その結果、林道Ｒの高標高側でかつ谷側の部分の土砂が山水や雨水等によって洗掘されるのを堅実に防止して、山水や雨水等の排水機能を良好に確保することができる。
【符号の説明】
【００３９】
１  林道横断水路溝構造
１０  水路溝形成ブロック
１１  底部
１２  側壁部
１３  連結用インサート
１４  連結ボルト
２０  張り出し体
２１  内側端縁部
２２  外側端縁部
２３  テーパー面
３０  支持体
４０  洗掘防止体
５０  規制体
５１  連結片
５２  当接片
Ｒ  林道
Ｒｈ  高標高側
Ｒｌ  低標高側
Ｔ  谷
Ｙ  山
Ｗ１  間隔
Ｗ２  外側左右幅
θ  配設角度
Ｋ  仮想傾斜面
【図１】
2014005658.tif 000003
【図２】
2014005658.tif 000004
【図３】
2014005658.tif 000005
【図４】
2014005658.tif 000006
【図５】
2014005658.tif 000007
【図６】
2014005658.tif 000008
【図７】
2014005658.tif 000009
【図８】
2014005658.tif 000010
【図９】
2014005658.tif 000011
【図１０】
2014005658.tif 000012
【図１１】
2014005658.tif 000013
【図１２】
2014005658.tif 000014
【図１３】
2014005658.tif 000015